(57)【要約】【課題】原動機を支持する部材と作業者が保持する部材との間に設けた防振装置において、２つの部材を容易に切り離すことができるようにする。【解決手段】可搬式作業機１０の原動機２１を支持した部材２２と作業者が保持する部材１１との２つの部材１１，２２の間に設けた防振装置３０であって、防振装置３０は２つの部材を互いに防振的に連結するコイルスプリング３１と、２つの部材の一方に形成された貫通孔３２ａを有し、貫通孔の周部にコイルスプリングの一方の端部が固定された固定部３２と、コイルスプリングの他方の端部に固定したスリーブ３３と、２つの部材の他方にてスリーブの軸方向の長さより長く突出してスリーブに遊嵌したボス部３４と、スリーブの内径より大きな径を有してボス部の先端に着脱可能に設けた抜け止め部材３６とを備えた。【選択図】図２
2014185683.tif 000002
【特許請求の範囲】
【請求項１】
可搬式作業機の原動機を支持した部材と作業者が保持する部材との２つの部材の間に設けた防振装置であって、
前記２つの部材を互いに防振的に連結するコイルスプリングと、
前記２つの部材の一方に形成された貫通孔を有し、前記貫通孔の周部に前記コイルスプリングの一方の端部が固定された固定部と、
前記コイルスプリングの他方の端部に固定したスリーブと、
前記２つの部材の他方にて当該スリーブの軸線方向の長さより長く突出して前記スリーブに遊嵌したボス部と、
前記スリーブの内径より大きな径を有して前記ボス部の先端に着脱可能に設けた抜け止め部材とを備えたことを特徴とする可搬式作業機の防振装置。
【発明の詳細な説明】
【技術分野】
【０００１】
本発明は、背負式ブロワ装置等の可搬式作業機の２つの部材の間に設けた防振装置に関する。
【背景技術】
【０００２】
特許文献１にはこの種の可搬式作業機の一種である手持式作業機の防振装置が開示されている。この防振装置は、手持式作業機の原動機を支持するケーシングとユーザが保持するグリップとの間にコイルスプリングを備え、原動機の振動がグリップからユーザに伝達するのを防止するものである。防振装置のコイルスプリングは、一端部がグリップのブッシュの内周面に形成した雌ねじにねじ込まれて固定され、他端部がケーシングの貫通孔の内周面に形成した雌ねじにねじ込まれて固定されている。
【先行技術文献】
【特許文献】
【０００３】
【特許文献１】特開２００１−１１６０７４号公報
【発明の概要】
【発明が解決しようとする課題】
【０００４】
特許文献１の手持式作業機を、メンテナンスや修理のために分解するときに、ケーシングからグリップを取り外す必要がある。しかし、コイルスプリングはケーシングとグリップとの両方にねじ込まれているので、コイルスプリングをケーシング及びグリップから取り外す作業が容易でなく、また、再びコイルスプリングをケーシング及びグリップにねじ込んで取り付ける作業も面倒であった。さらに、手持式作業機を長期間使用すると、コイルスプリングがケーシング及びグリップの雌ねじに強く噛み合ってさらに取り外しにくくなることがあった。本発明は、原動機を支持する部材と作業者が保持する部材との間に設けた防振装置において、２つの部材を容易に切り離すことができるようにすることを目的とする。
【課題を解決するための手段】
【０００５】
上記課題を解決するために、本発明は、可搬式作業機の原動機を支持した部材と作業者が保持する部材との２つの部材に設けた防振装置であって、２つの部材を互いに防振的に連結するコイルスプリングと、２つの部材の一方にてコイルスプリングの一方の端部が固定される固定部と、固定部に形成され、コイルスプリングの一方の端部から内部に通じる貫通孔と、コイルスプリングの他方の端部に固定したスリーブと、２つの部材の他方にてスリーブの軸方向の長さより長く突出してスリーブに遊嵌したボス部と、スリーブの内径より大きな径を有してボス部の先端に着脱可能に設けた抜け止め部材とを備えたことを特徴とする可搬式作業機の防振装置を提供するものである。
【０００６】
上記のように構成した可搬式作業機の防振装置においては、２つの部材を互いに防振的に連結するコイルスプリングの一方の端部は一方の部材の固定部に固定したのに対し、他方の端部はこれに固定したスリーブに他方の部材のボス部を遊嵌させた状態にて、ボス部の先端の抜け止め部材によってスリーブを抜け止めして固定した。一方の部材の貫通孔からコイルスプリング内に挿通した工具等を用いて抜け止め部材をボス部の先端から取り外せば、コイルスプリングの他方の端部に固定したスリーブを他方の部材のボス部から引き抜くことができ、２つの部材を互いに切り離すことができる。また、コイルスプリングの他方の端部に固定したスリーブに他方の部材のボス部を遊嵌させ、一方の部材の貫通孔からコイルスプリング内に挿通した工具等を用いてボス部の先端に抜け止め部材を取り付ければ、２つの部材を容易に連結することができる。また、コイルスプリングの他方の端部に固定したスリーブはこれより軸方向に長いボス部に遊嵌した状態で抜け止め部材により抜け止めされているので、スリーブがボス部に対して回転を規制されず、コイルスプリングは捻れて取り付けられることがない。これにより、コイルスプリングは捻れに起因してばね定数が変わるのを防ぐことができる。
【図面の簡単な説明】
【０００７】
【図１】本発明の可搬式作業機の一実施形態である背負式ブロワ装置の斜め後方から見た斜視図である。
【図２】図１の防振装置の断面図である。
【発明を実施するための最良の形態】
【０００８】
以下、本発明の可搬式作業機の防振装置を添付図面を用いて説明する。本実施形態では、可搬式作業機の一例として背負式ブロワ装置を用いて説明する。図１に示したように、背負式ブロワ装置１０は、作業者が背負う背負フレーム１１にブロワユニット２０を備えている。背負フレーム１１は垂直に延びて作業者の背中に当たる背当部１１ａと、背当部１１ａの下部から後方に延びる台座部１１ｂとからなる側面から見た形状がＬ字形をしている。背負フレーム１１の背当部１１ａには作業者が背負うための一対のショルダーストラップ１２，１２が取り付けられている。背負フレーム１１の右側部には送風管２４を支持する支持アーム１３が固定されている。
【０００９】
ブロワユニット２０は、エンジンよりなる原動機２１により駆動されるファン（図示省略）の回転によって吸引した空気を噴出ダクト２３から噴出するものである。ブロワユニット２０は原動機２１を一体的に組み付けたボリュートケース２２を備えており、ボリュートケース２２内にはファン（図示省略）が収容されている。ボリュートケース２２にはファンによって吸引した空気を噴出する噴出ダクト２３が一体的に設けられており、噴出ダクト２３には送風管２４が連通接続されている。
【００１０】
背負フレーム（作業者が背負うことにより保持する部材）１１と、原動機２１を支持したボリュートケース（原動機２１を支持した部材）２２との間には防振装置３０が設けられている。防振装置３０は原動機２１により発生した振動とファンの回転によって発生した振動がボリュートケース２２を介して背負フレーム１１に伝達するのを抑制する機能を有している。この実施形態では、防振装置３０は背負フレーム１１の背当部１１ａの上部とボリュートケース２２の上部にて背当部１１ａに対向する部分との間の左右２箇所と、背負フレーム１１の台座部１１ｂの前部とボリュートケース２２の前部にて台座部と対向する部分との間の左右２箇所に設けられている。
【００１１】
以下に、背負フレーム１１の台座部１１ｂの前側左部とボリュートケース２２の前側左部と間に設けた防振装置３０について説明する。防振装置３０は背負フレーム１１とボリュートケース２２とを互いに防振的に連結するコイルスプリング３１を備えている。背負フレーム１１の台座部１１ｂの前側左部には円筒形をした固定部３２が設けられており、固定部３２には台座部１１ｂの下側まで貫通する円形の貫通孔３２ａが形成されている。固定部３２の貫通孔３２ａの内周面には螺旋溝３２ｂが形成されており、コイルスプリング３１の一方の端部が螺旋溝３２ｂに係合している。なお、固定部３２の外周面に螺旋溝を形成し、コイルスプリング３１の一方の端部をこの螺旋溝に係合させてもよい。
【００１２】
コイルスプリング３１の他方の端部の内側には円筒形状のスリーブ３３が設けられており、スリーブ３３の外周面に形成した螺旋溝３３ａにコイルスプリング３１の他方の端部が係合している。ボリュートケース２２の前側左部にはコイルスプリング３１に向けて突出する円柱形状をしたボス部３４が設けられており、ボス部３４はスリーブ３３に僅かな隙間を設けて遊嵌している。なお、ボス部３４はスリーブ３３の内周面との間を実質的に動かない程度の僅かな隙間を設けてスリーブ３３に遊嵌している。ボス部３４の長さはスリーブ３３より僅かに長く形成されている。ボス部３４の径方向の中心部には軸線方向に延びるねじ孔３４ａが形成されており、ねじ孔３４ａにはワッシャ３６を付けたねじ３５が着脱可能に螺合している。ワッシャ３６はスリーブ３３の内径より大きな径をしており、ワッシャ３６はスリーブ３３がボス部３４から抜けるのを防ぐ抜け止め防止部材として機能している。なお、ねじ３５の頭部３５ａをスリーブ３３の径より大きくすることで、ワッシャ３６を用いることなくねじ３５の頭部３５ａをスリーブ３３の抜け止め防止部材として機能させてもよい。同様に、ねじ３５の頭部３５ａをスリーブ３３の径より大きな径をしたフランジ付とし、フランジをスリーブの抜け止め防止部材として機能させてもよい。なお、背負フレーム１１の台座部１１ｂの前側右部とボリュートケース２２の前側右部の間に設けた防振装置も上述した防振装置３０と同様である。また、背負フレーム１１の背当部１１ａとボリュートケース２２の上部の間の防振装置も、固定部３２を背当部１１ａに設けたこと以外は上述した防振装置３０と同様である。
【００１３】
上記のように構成した背負式ブロワ装置１０の作動を説明する。作業者が原動機２１を作動させると、ボリュートケース２２内のファンが回転し、ボリュートケース２２内に吸引された空気が噴出ダクト２３を通って送風管２４の先端から噴出する。このとき、ボリュートケース２２は原動機２１の作動及びボリュートケース２２内のファンの回転によって振動するが、ボリュートケース２２の振動は防振装置３０によって背負フレーム１１に伝達するのが抑制される。
【００１４】
上記のように構成した背負式ブロワ装置１０の防振装置３０においては、背負フレーム１１とボリュートケース２２とを互いに防振的に連結するコイルスプリング３１の一方の端部は背負フレーム１１の固定部３２に固定され、コイルスプリング３１の他方の端部はこれに固定したスリーブ３３にボリュートケース２２のボス部３４を遊嵌した状態でボス部３４の先端にねじ３５で固定したワッシャ３６によって抜け止めされて固定されている。
【００１５】
背負式ブロワ装置１０のメンテナンスをするときに、背負フレーム１１からボリュートケース２２を取り外すときには、背負フレーム１１の台座部１１ｂの貫通孔３２ａからコイルスプリング３１内に挿通したドライバ等の棒状の工具を用いてねじ３５及びワッシャ３６をボス部３４の先端から取り外せば、コイルスプリング３１の他方の端部のスリーブ３３はボリュートケース２２のボス部３４から引き抜き可能な状態となる。他の３箇所の防振装置においても、ねじ及びワッシャをボス部の先端から取り外せば、コイルスプリングの他方の端部のスリーブはボリュートケースのボス部から引き抜き可能な状態となる。この状態にて、スリーブ３３をボス部３４から引き抜くことで、背負フレーム１１からボリュートケース２２が取り外される。
【００１６】
また、背負フレーム１１にボリュートケース２２を取り付けるときには、コイルスプリング３１の他方の端部のスリーブ３３にボリュートケース２２のボス部３４を遊嵌させ、背負フレーム１１の台座部１１ｂの貫通孔３２ａからコイルスプリング３１内に挿通したドライバ等の棒状の工具を用いてワッシャ３６とともにねじ３５をボス部３４の先端に取り付ける。これにより、コイルスプリング３１の他方の端部のスリーブ３３はワッシャ３６によりボス部３４から抜けなくなり、背負フレーム１１にボリュートケース２２が取り付けられる。
【００１７】
このように、本実施形態の防振装置３０は、ねじ３５によりワッシャ３６をボス部３４の先端に着脱するだけで、コイルスプリング３１の他方の端部のスリーブ３３がボス部３４に固定された状態と、スリーブ３３がボス部３４から取り外し可能な状態となる。これにより、背負式ブロワ装置１０のメンテナンスをするときには、スリーブ３３に遊嵌させたボス部３４の先端にねじ３５によってワッシャ３６を着脱するだけで、防振装置３０による背負フレーム１１とボリュートケース２２との連結及び連結の解除をでき、背負フレーム１１に対してボリュートケース２２を着脱する作業が容易となった。また、ボス部３４はスリーブ３３に僅かな隙間を設けて遊嵌しているので、背負式ブロワ装置１０を長期間使用しても、ボス部３４はスリーブ３３に対して強固に嵌め込まれた状態とならず、ボス部３４をスリーブ３３に強い力で着脱させなくてもよい。
【００１８】
また、コイルスプリング３１の他方の端部のスリーブ３３はこれより軸方向に長いボス部３４に遊嵌した状態でワッシャ３６により抜け止めされている。このため、スリーブ３３がボス部３４に対して回転を規制されなく、コイルスプリング３１は捻れて取り付けられない。これにより、コイルスプリング３１は捻れに起因してばね定数が変わるのを防ぐことができる。
【００１９】
上記の実施形態においては、２つの部材の一方を背負フレーム１１とし、他方をボリュートケース２２としたが、本発明はこれに限られるものでなく、２つの部材の一方をボリュートケース２２とし、他方を背負フレーム１１としたものであっても同様の作用効果を得ることができる。
【００２０】
上記の実施形態においては、防振装置３０は背負フレーム１１の背当部１１ａの上部とボリュートケース２２の上部にて背当部１１ａに対向する部分との間の左右２箇所と、背負フレーム１１の台座部１１ｂの前部とボリュートケース２２の前部にて台座部と対向する部分との間の左右２箇所に設けられているが、これに限られるものでなく、例えば、防振装置３０を背負フレーム１１の背当部１１ａの上部の左右２箇所と下部の左右２箇所と、これらに対向するボリュートケース２２の上部の左右２箇所と下部の左右２箇所に設けたものであってもよい。
【００２１】
また、上記の実施形態においては、可搬式作業機の一実施形態として背負式ブロワ装置１０を用いて説明したが、本発明はこれに限られるものでなく、原動機を支持した部材と作業者が保持する部材とを備えた可搬式作業機として、手持式ブロワ装置、チェーンソー、ヘッジトリマ等の可搬式作業機にも採用することが可能である。また、原動機はエンジンに限られるものでなく、電動モータとしたものであってもよい。さらに、作業者が保持する部材は作業者が背負うことにより保持する背負フレームに限られるものでなく、作業者が手で保持するグリップ、ハンドルであってもよい。
【符号の説明】
【００２２】
１０…可搬式作業機（背負式ブロワ装置）、１１…作業者が保持する部材（背負フレーム）、２１…原動機、２２…原動機を支持した部材（ボリュートケース）、３０…防振装置、３１…コイルスプリング、３２…固定部、３２ａ…貫通孔、３３…スリーブ、３４…ボス部、３６…抜け止め部材（ワッシャ）。
【図１】
2014185683.tif 000003
【図２】
2014185683.tif 000004